(57)【要約】【課題】複数の導光板ブロックを有する２個の導光板を所定の間隔で並置した構成のバックライトを有する液晶表示装置において、２個の導光板の対向する部分における輝度低下を防止する。【解決手段】液晶表示パネルとＬＥＤが配置された回路基板との間に２個の導光板５０が所定の間隔ｄ１をもって並置されている。各導光板５０は、複数の分割導光板５１で形成され、各分割導光板５１は、溝５２によって複数の導光板ブロック５３に分けられている。２個の導光板が対向する部分において、各導光板の側面を傾斜させ、かつ、この傾斜面を粗面５４にする。これによって導光板間の光の干渉が起きやすくなり、２個の導光板５０の対向部における輝度低下を防止することが出来る。【選択図】図５
2011227251.tif 000002
【特許請求の範囲】
【請求項１】
液晶表示パネルと第１の導光板と第２の導光板とＬＥＤ光源を有する液晶表示装置であって、
前記第１の導光板と前記第２の導光板は、複数の分割導光板から形成され、前記分割導光板は複数の導光板ブロックに分けられ、
前記複数の導光板ブロックの各々にはＬＥＤが配置され、
前記第１の導光板と前記第２の導光板は間隔を置いて並置され、前記第１の導光板と前記第２の導光板において、前記第１の導光板と前記第２の導光板が対向する側面は傾斜面となっており、前記傾斜面は粗面となっていることを特徴とする液晶表示装置。
【請求項２】
前記傾斜面の角度は２０度〜７０度であることを特徴とする請求項１に記載の液晶表示装置。
【請求項３】
前記傾斜面の角度は１１０度〜１６０度であることを特徴とする請求項１に記載の液晶表示装置。
【請求項４】
液晶表示パネルと第１の導光板と第２の導光板とＬＥＤ光源を有する液晶表示装置であって、
前記第１の導光板と前記第２の導光板は、複数の分割導光板から形成され、前記分割導光板は複数の導光板ブロックに分けられ、
前記複数の導光板ブロックの各々にはＬＥＤが配置され、
前記第１の導光板と前記第２の導光板は間隔を置いて並置され、前記第１の導光板と前記第２の導光板において、前記第１の導光板と前記第２の導光板が対向する側面にはＣ面取りがほどこされ、前記Ｃ面取りの部分は粗面となっていることを特徴とする液晶表示装置。
【請求項５】
液晶表示パネルと第１の導光板と第２の導光板とＬＥＤ光源を有する液晶表示装置であって、
前記第１の導光板と前記第２の導光板は、複数の分割導光板から形成され、前記分割導光板は複数の導光板ブロックに分けられ、
前記複数の導光板ブロックの各々にはＬＥＤが配置され、
前記第１の導光板と前記第２の導光板は所定の間隔ｄ１を置いて並置され、前記第１の導光板と前記第２の導光板において、前記第１の導光板と前記第２の導光板が対向する側面は粗面となっており、前記側面に続く前記液晶表示パネル側の面は所定の距離ｄ２にわたって粗面となっていることを特徴とする液晶表示装置。
【請求項６】
前記ｄ２は前記ｄ１の１０倍以上であることを特徴とする請求項５に記載の液晶表示装置。
【請求項７】
液晶表示パネルと第１の導光板と第２の導光板とＬＥＤ光源を有する液晶表示装置であって、
前記第１の導光板と前記第２の導光板は、複数の分割導光板から形成され、前記分割導光板は複数の導光板ブロックに分けられ、
前記複数の導光板ブロックの各々にはＬＥＤが配置され、
前記第１の導光板と前記第２の導光板は間隔を置いて並置され、
前記第１の導光板と前記第２の導光板が対向する部分において、前記第１の導光板は前記第２の導光板の方向に第１の突起を有しており、前記第２の導光板は、前記第１の導光板の方向に第２の突起を有しており、
前記第１の突起と前記第２の突起は、平面で見てオーバーラップしており、前記第１の突起と前記第２の突起は、互いに間隔を有して配置され、
前記第１の突起と前記第２の突起のいずれかにおいて、下側に配置される突起の上側は粗面となっていることを特徴とする液晶表示装置。
【請求項８】
前記第１の突起と前記第２の突起が対向する面は、前記第１の突起と前記第２の突起は粗面となっていることを特徴とする請求項６に記載の液晶表示装置。
【請求項９】
前記突起は平面が３角形状であることを特徴とする請求項６または７に記載の液晶表示装置。
【請求項１０】
液晶表示パネルと第１の導光板と第２の導光板とＬＥＤ光源を有する液晶表示装置であって、
前記第１の導光板と前記第２の導光板は、複数の分割導光板から形成され、前記分割導光板は複数の導光板ブロックに分けられ、
前記複数の導光板ブロックの各々にはＬＥＤが配置され、
前記第１の導光板と前記第２の導光板は間隔を置いて並置され、前記第１の導光板と前記第２の導光板が対向する面において、前記第１の導光板の側面は平面で見てクランク状となるように凹凸形状となっており、前記第２の導光板の側面は平面で見てクランク状となるように凹凸形状となっており、前記第１の導光板の側面の凸部と前記第２の導光板の側面の凹部は入れ子の状態となっており、かつ、所定の間隔をもって配置されていることを特徴とする液晶表示装置。
【請求項１１】
前記第１の導光板と前記第２の導光板の対向部における前記第１の導光板と前記第２の導光板の側面は粗面となっていることを特徴とする請求項９に記載の液晶表示装置。
【請求項１２】
前記粗面はサンドブラストによって形成されていることを特徴とする請求項１〜１０のいずれか１項に記載の液晶表示装置。
【請求項１３】
前記粗面は、線状または円錐状のプリズム、あるいは、凸マイクロレンズまたは凹マイクロレンズによって形成されていることを特徴とする請求項１〜１０のいずれか１項に記載の液晶表示装置。
【請求項１４】
液晶表示パネルと第１の導光板と第２の導光板とＬＥＤ光源を有する液晶表示装置であって、
前記第１の導光板と前記第２の導光板は、複数の分割導光板から形成され、前記分割導光板は複数の導光板ブロックに分けられ、
前記複数の導光板ブロックの各々にはＬＥＤが配置され、
前記第１の導光板と前記第２の導光板は間隔を置いて並置され、前記第１の導光板と前記第２の導光板は両側端部の導光板ブロックと中央付近の導光板ブロックを有し、
前記両側端部の導光板ブロックの幅は、前記中央付近の導光板ブロックの幅よりも小さく、
前記両側端部の導光板ブロックに配置される前記ＬＥＤの数と前記中央付近の導光板ブロックに配置される前記ＬＥＤの数とは等しいことを特徴とする液晶表示装置。
【発明の詳細な説明】
【技術分野】
【０００１】
本発明はＬＥＤをバックライトとした液晶表示装置に係り、特に、薄型で輝度むらを解消したＴＶ等に使用される比較的大型の液晶表示装置に関する。
【背景技術】
【０００２】
近年の省電力の要請に対応するために、液晶用バックライト装置においても消費電力の低減が求められている。これに対応して、バックライト装置を複数のブロックに分割し、各ブロック毎に調光するエリア調光（ローカルディング）が実用化されてきている。ここで、バックライト装置を複数のブロックに分割するとは、導光板を複数のブロックに分割し、各導光板のブロック毎に配置した光源の輝度を調整可能とすることである。
【０００３】
「特許文献１」には、大きな発光エリアを持つ面状光源装置として分割した導光板ブロックをタンデム配置した構成が記載されている。「特許文献１」によると、各導光板ブロック毎に配置された一次光源としての蛍光管を両端と中央部での輝度差を勘案して、一次光源の両端の電極部による輝度不足の発生を防止するために、隣りあう導光板ブロックの重畳部は切り欠きを有する舌上重畳部を形成することが記載されている。また、一次光源の両端の電極部を湾曲させてこの湾曲した電極部を導光ブロックの範囲外に配置することが記載されている。
【０００４】
また、「特許文献２」には、タンデム配置した導光板ブロックのつなぎ目における輝度むらの発生を防止するために、導光板と拡散板の間にアクリル板を配置する構成が記載されている。また、アクリル板を使用しない場合は、導光板と拡散板の間に所定の距離を設定する構成が記載されている。
【先行技術文献】
【特許文献】
【０００５】
【特許文献１】特開平１１−２８８６１１号公報
【特許文献２】特開２００４−２６５６３５号公報
【発明の概要】
【発明が解決しようとする課題】
【０００６】
「特許文献１」に記載の技術は、複数の導光板ブロックが１列に配置され、導光板ブロックのつなぎ目において、光源が配置された付近における輝度むらを対策するものである。また、「特許文献２」に記載の技術は、導光板ブロックが複数行複数列配列された構成が記載されていが、「特許文献２」に記載の技術も、導光板ブロックのつなぎ目において、光源が配置された付近における輝度むらを対策するものである。
【０００７】
一方、大画面においては、多数の導光板ブロックを配置する必要がある。この場合、導光板ブロックを組み合わせた導光板ブロック１枚のみで導光板を形成することは、導光板の製造技術上も取り扱い上も問題である。
【０００８】
これを対策するために、本発明では、図１に示すような、導光板ブロック５３が形成された分割導光板５１をつなげた導光板５０を２つ並べて配置することによって、全体として大きな導光板を形成する構成としている。図１における各導光板５０は、図２に示すような分割導光板５１が組み合わさったものである。すなわち、分割導光板５１は溝５２によって複数の導光板ブロック５３に分けられている。図２に示す分割導光板５１を組み合わせて、図１に示す１個の導光板５０が形成されている。
【０００９】
この場合、導光板５０の熱膨張を吸収するために、２個の導光板５０の間に所定の間隔をあける必要がある。図１７は、従来例における図１に示す導光板５０の平面図である。図１７において、第１の導光板５０と第２の導光板５０の間に間隔ｄ１が形成されている。熱膨張を吸収するためである。ｄ１は０．２ｍｍから０．５ｍｍである。
【００１０】
導光板ブロック間は図１７のＢ３７導光板ブロックに示すように、Ｂ３７導光板ブロックのみが明るい場合であっても、白矢印で示すように、周囲のブロックにも光が漏れる。しかし、第１の導光板５０と第２の導光板５０の間においては、間隔ｄ１が存在するので、この部分において、第１の導光板５０と第２の導光板５０との間に光が行き来しにくい。
【００１１】
図１７において、Ｂ２５導光板ブロックが明るい場合、同じ導光板内においては、白矢印で示すようにＢ２５導光板ブロックの光が周囲の導光板ブロックには漏れるが、他の導光板には光が漏れない。この様子を図１８に示す。図１８は図１７のＥ−Ｅ断面図である。図１８に示すように、導光板の端部が鏡面になっていると、この部分において、全反射が起こりやすくなり、隣りの導光板に光が漏れにくくなる。図１８において、導光板５０内において、光は導光板５０の下面に配置された反射シート６０から反射されてきたことを示している。そして、この光は、鏡面となっている導光板５０の側面において全反射する。このような現象は、２つの問題を引き起こす。
【００１２】
第１の問題は、画面の中央に縦帯状に輝度むら１０１が生ずることである。この様子を図１９に示す。図１９は、表示画面１００であり、全白画面を出した場合に、縦帯状に輝度の小さい部分１０１が生じている状況を示している。また、画面の左右にも、縦帯状に輝度が小さい部分１０１が存在している。
【００１３】
この状態を数値的に表現したものが図２０である。図２０において、横軸は画面の位置、縦軸は画面に輝度で、単位はカンデラ（ｃｄ）である。図２０において、画面の大部分の輝度は４８０カンデラであるが、画面中央ｃにおいては、４３０カンデラである。これが、画面中央における縦帯状の輝度低下部分である。図２０において、画面の周辺においても、輝度が小さくなっており、これが画面左右周辺における縦帯状の輝度低下部分である。
【００１４】
中央の縦帯状に輝度が小さい部分は、図１７、１８に示したように、２個の導光板５０の間に存在する隙間ｄ１の影響である。また、画面左右の縦帯状に輝度が小さい部分が形成される原因は、端部の導光板ブロックは、一方においては、隣に導光板ブロックが存在していないため、このサイドからの光の供給が無いことによる。このうち、画面左右は、輝度むらがあっても目立たないので大きな問題にはならないが、中央の帯状の輝度が小さい部分は目立つので問題である。
【００１５】
他の問題点は、動画のときに見られる問題であり、この問題点を図２１および図２２を用いて説明する。図２１および図２２は、暗い画面２００において、白い丸２１０が右から左に動く場合を示している。図２１において、白い丸２１０の周りにはハロー２２０が存在している。このようなハロー２２０は、導光板ブロック５３の光が周辺の導光板ブロックに漏れることも原因となって生ずる。
【００１６】
この白い丸２１０が左に移動して、画面の中央付近に移動した場合を示すものが図２２である。図２２において、白い丸２１０の周りにハロー２２０が存在している。しかし、このハロー２２０は同じ導光板５０の領域内においては、存在するが、隣りの導光板５０の領域には存在しない。白い丸２１０の光が隣りの導光板５０には漏れていないためである。
【００１７】
ハロー２１０は一般には無いほうが好ましいが、ハロー２１０があったり無かったりすると、画面に違和感が生ずる。図２１および図２２に示すように、画面中央部付近のみに、ハロー２１０の一部が欠けるような現象が生ずると、画面に違和感が生ずる。
【００１８】
本発明の課題は、以上のような問題点を解決することであり、複数の導光板ブロックを有する分割導光板を組み合わせた導光板を間隔を空けて複数配置する場合に、導光板に間隔を空けた部分において、輝度むらが発生すること、あるいは、不自然な画像が発生することを防止することである。
【課題を解決するための手段】
【００１９】
本発明は上記問題を克服するものであり、具体的な手段は次のとおりである。すなわち、第１の手段は、液晶表示パネルと第１の導光板と第２の導光板とＬＥＤ光源を有する液晶表示装置であって、前記第１の導光板と前記第２の導光板は、複数の分割導光板から形成され、前記分割導光板は複数の導光板ブロックに分けられ、前記複数の導光板ブロックの各々にはＬＥＤが配置され、前記第１の導光板と前記第２の導光板が間隔を置いて並置され、前記第１の導光板と前記第２の導光板において、前記第１の導光板と前記第２の導光板が対向する側面は、第１導光板からの光が第２の導光板に入射し易いよう、また、第２の導光板からの光が第１の導光板に入射し易いよう、導光板の側面の形状を特別な形状とすること、および、所定の面を粗面にすることである。
【００２０】
側面の形状としては、側面に傾斜を設け、その傾斜面を粗面にすること、２個の導光板が対向する部分における側面にＣ面取りを設け、Ｃ面取り部を粗面にすること、２個の導光板の対向する部分に庇を設け、庇をオーバーラップさせることによって、２個の導光板の対向面積を増大させること、２個の導光板の側面をクランク状にし、この側面をオーバーラップさせることによって２個の導光板の対向面積を増大させること等である。
【００２１】
また、本発明の第２の手段は、所定の間隔を持って並置された導光板における導光板ブロックの幅において、導光板の両側部における導光板ブロックの幅を中央部における導光板ブロックの幅よりも小さくすることによって、導光板の両側部における導光板ブロックの輝度を上げることによって、２個の導光板が対向する部分および画面の両側部における輝度むらを防止することである。
【発明の効果】
【００２２】
本発明によれば、２個の導光板の対向部において、第１の導光板からの光が第２の導光板へ入射しやすくなる、あるいは、第２の導光板からの光が第１の導光板へ入射しやすくなるので、２個の導光板の対向部における輝度低下を防止することが出来、画面輝度の均一性を向上させることが出来る。
【００２３】
また、本発明の他の構成によれば、導光板の両端部における導光板ブロックの幅を導光板の中央付近における導光板ブロックの幅よりも小さくし、かつ、各導光板ブロックに配置されるＬＥＤの数を同じにするので、各導光板の両側端における輝度が大きくなる。その結果、２個の導光板の対向部分において、輝度が小さくなる輝度むらを防止することが出来る。
【図面の簡単な説明】
【００２４】
【図１】本発明が適用される液晶表示装置の分解斜視図である。
【図２】分割導光板の斜視図である。
【図３】図１のＡ−Ａ断面図である。
【図４】図１のＢ−Ｂ断面図である。
【図５】実施例１の導光板の平面図である。
【図６】実施例１の導光板の詳細図である。
【図７】粗面の例である。
【図８】粗面の他の例である。
【図９】実施例１の第１の変形例である。
【図１０】実施例１の第２の変形例である。
【図１１】実施例１の第３の変形例である。
【図１２】実施例１の第４の変形例である。
【図１３】実施例１の第５の変形例である。
【図１４】実施例１の第６の変形例である。
【図１５】実施例２の導光板の詳細図である。
【図１６】図１５の断面図の例である。
【図１７】従来例の導光板の平面図である。
【図１８】従来例の導光板の問題点を示す断面図である。
【図１９】従来例における輝度むらの例である。
【図２０】従来例における輝度分布を示す例である。
【図２１】明スポットとハローを示す模式画面である。
【図２２】従来例の問題点を示す模式画面である。
【発明を実施するための形態】
【００２５】
以下、本発明の内容を実施例を用いて詳細に説明する。
【実施例１】
【００２６】
図１は本発明による液晶表示装置の分解斜視図である。図１において、ＴＦＴや画素電極がマトリクス状に配置された表示領域、走査線、映像信号線等が形成されたＴＦＴ基板１１とカラーフィルタ等が形成された対向基板１２とが図示しない接着材を介して接着している。ＴＦＴ基板１１と対向基板１２との間には図示しない液晶が挟持されている。ＴＦＴ基板１１には端子等が形成されるので、対向電極１２よりも大きく作られている。
【００２７】
ＴＦＴ基板１１の下側には下偏光板１４が、対向基板１２の上側には上偏光板１３が貼り付けられている。ＴＦＴ基板１１、対向基板１２、下偏光板１４、上偏光板１３が接着された状態のものを液晶表示パネルと称する。液晶表示パネルの背面にはバックライトが配置されている。バックライトは光源部と種々の光学部品とから形成されている。
【００２８】
図１において、光源部には、配線基板４０にＬＥＤ３０が配置されている。ＬＥＤ３０は導光板ブロック５３に対応して配置されている。図１において、２個の導光板が所定の間隔を置いて並置されている。画面が大きい場合、１枚の大きな導光板を製作するよりは、複数に分けたほうが、導光板製造コストの点等から有利だからである。導光板５０を２つ使用した場合、各導光板５０が熱膨張するので、これを吸収するために、２つの導光板の間には所定の間隔が形成されている。
【００２９】
図１において、各導光板５０は４個の分割導光板から形成されている。各分割導光板５０の形状は図２に示すとおりである。図２は分割導光板５１の斜視図である。分割導光板５１は溝５２によって４個の導光板ブロック５３に分けられている。溝５２によって各導光板ブロック５３は独立した導光板として機能することが出来る。溝の形状の例はＫ−Ｋ断面のとおりであり、断面形状は略Ｖ字型で、深さｄｄは０．５ｍｍ程度である。
【００３０】
図１に戻り、長方形の分割導光板５１を４個組み合わせて１個の導光板５０が形成されている。そして、２個の導光板５０が所定の間隔を介して並置されている。導光板５０の上には３枚の拡散シート１５が配置されている。各拡散シート１５は約６０μｍ程度と、薄いので、３枚の拡散シート１５は実際には、導光板５０の上に載置される。拡散シート１５の表面には細かな凹凸が形成されており、これが、導光板５０からの光を拡散させる。また、表面の細かい凹凸は一種のプリズムの役割を有し、拡散シート１５に対して斜めに入射した光を液晶表示パネルの方向に向ける働きも有する。
【００３１】
拡散シート１５が３枚というのは例であり、必要に応じて１枚でも２枚でもよいし、３枚よりも多くても良い。また、拡散シート１５に加えて、必要であればプリズムシートを配置してもよい。プリズムシートは斜め方向から入射するバックライトからの光を液晶表示パネルの方向に向け、画面の輝度を向上させる働きを有する。なお、図１の例では、拡散シート１５が直接導光板５０の上に載置される構成であるが、場合によっては、導光板５０の上に拡散板を配置し、拡散板の上に拡散シート１５が載置される場合もありうる。
【００３２】
図１において、最上層の拡散シート１５の上には液晶表示パネルが配置されるが、組み立てたあとも、液晶表示パネルと拡散シートとの間には、例えば、５０μｍ程度の間隔があけられる。拡散シート１５と下偏光板１４とが擦れて傷がつくことを防止するためである。
【００３３】
図３は図１に示す液晶表示装置の断面Ａ−Ａ方向の分解断面図である。図３において、液晶表示パネル１０および３枚の拡散シート１５は図１において説明した通りである。図３において、拡散シート１５の下側に導光板５０が配置されている。導光板５０は４個の分割導光板５１から形成されている。図１で説明したように、各分割導光板５１はさらに４個の導光板ブロック５３を含んでいる。
【００３４】
各分割導光板５１の断面は楔状であり、厚い部分と薄い部分を有し、厚い部分は３ｍｍ程度、薄い部分は１ｍｍ弱である。分割導光板５１の薄い部分は、前に配置されている分割導光板５１の厚い部分に形成された段部に入り込んでいるので、概観は１枚の導光板のように見える。
【００３５】
図３において、導光板５０は下側に配置されるＬＥＤ３０を有する配線基板４０に載置される。各分割導光板５１の断面の厚い部分の側面にＬＥＤ３０が配置されることになる。分割導光板５１の厚い側の側面から入射したＬＥＤ３０からの光は、導光板５０内において、液晶表示パネル１０側に向きを変えて出射する。
【００３６】
図４は図１に示す液晶表示装置の断面Ｂ−Ｂ方向の分解断面図である。図４において、導光板５０は間隔ｄ１をもって２個並置されている。各導光板５０、すなわち、分割導光板５１は、溝５２によって導光板ブロック５３に分けられている。各導光板ブロック５３には、配線基板４０に形成された多数のＬＥＤの内の３個のＬＥＤが対応している。
【００３７】
図４において、２個の導光板５０が間隔ｄ１をもって配置されているが、この間隔の影響によって、「本発明の解決しようとする課題」の項で説明したような、輝度むら、あるいは、動画における画像の違和感等が生ずる。本実施例においては、これを対策するために、各導光板５０の端部の形状は特別な形状となっている。
【００３８】
図５は本実施例における導光板５０の形状である。図５において、２個の導光板５０が間隔ｄ１をもって並置されている。各導光板５０は４個分割導光板５１によって形成され、各分割導光板５１は４個の導光板ブロック５３を含んでいる。導光板５０の両側端部には傾斜部が形成され、この傾斜部は粗面５４となっている。
【００３９】
２個の導光板５０が対向する端部に傾斜と粗面５４が形成されているので、２個の導光板５０の間には、光の干渉が生じ易くなり、２個の導光板５０の間隔ｄ１による輝度むらを解消あるいは軽減することが出来る。また、導光板５０の外側両端部にも傾斜と粗面５４が形成されているので、画面の両端部における輝度むらも解消することが出来る。
【００４０】
図５において、Ｂ３７で示す導光板ブロックが明るい場合、この光は、周辺の導光板ブロックにも漏れていることを示している。また、Ｂ２５で示す、導光板５０の端部に形成された導光板ブロック５０からの光は、同一導光板５０の隣接する導光板ブロック５３のみでなく、隣接する別の導光板５０の導光板ブロック５３にも漏れることを示している。これによって、白画面を表示したときの画面中央における縦帯状の輝度むらを解消できるとともに、動画を表示したときの違和感も解消することが出来る。
【００４１】
図６は対向する導光板５０の端部の詳細断面図である。図６において、２個の導光板０が間隔ｄ１をもって対向している。なお、導光板５０の下部には反射シートが配置されるが、図６以下では、反射シートの記載は省略されている。導光板５０の端部には傾斜が形成されており、この斜面は粗面５４となっている。図６における粗面５４の平面方向の長さｄ２は、ｄ１よりも十分に大きな量となっている。好ましくは、ｄ２はｄ１は１０倍以上である。
【００４２】
図６において、導光板５０の厚さｔは１〜５ｍｍ、２個の導光板の間隔は０．２〜０．５ｍｍである。このような寸法において、ｄ２の長さをｄ１の長さの１０倍以上とするには、図６における傾斜角度θは２０度〜７０度程度となる。また、この程度の角度であれば、導光板５０の側面に傾斜を形成しやすいというメリットもある。
【００４３】
図６における傾斜部への粗面形成方法は種々の手段をとることが出来る。図７は粗面の断面形状５４１の例であり、このような粗面は、サンドブラスト処理によって形成することが出来る。図８は、粗面の断面をプリズム形状５４２とした例である。このような粗面５４２は、例えば、導光板をプレス成型するときに同時に形成することも出来る。プリズムは円錐状のものでもよいし、線状のものでもよい。また、凸状のマイクロレンズあるいは、凹状のマイクロレンズによって粗面を形成することも出来る。このような粗面も導光板をプレス成型するときに同時に形成することが出来る。なお、２個の導光板５０において、対向していない端部も同様な形状となっている。
【００４４】
図９は、本実施例の第１の変形例である。図９において、導光板５０の端部に形成された斜面の傾斜は図６とは逆になっている。このように、斜面の傾斜が逆になっていても、輝度むら等に対する効果は同様である。図９において、ｄ２がｄ１の１０倍以上であることが好ましい。したがって、図９における角度θは１１０〜１６０度が好ましい。なお、２個の導光板５０において、対向していない端部も同様な形状となっている。
【００４５】
図１０は本実施例の第２の変形例である。図１０において、導光板５０の端部には、Ｃ面取りが形成され、面取り部分には粗面５４が形成されている。この粗面５４は、図６で説明したのと同様に、図７または図８等に示される形状とすることが出来る。図１０で示す形状の場合も、粗面５４の導光板平面方向の長さｄ２は２個の導光板の間隔ｄ１に比べて十分に大きいことが好ましい。Ｃ面取りの角度θは４５度であるから、ｄ２がｄ１よりも十分に大きくなるように、Ｃ面取りの量ｔ１を決める必要がある。なお、２個の導光板５０において、対向していない端部も同様な形状となっている。
【００４６】
図１１は、本実施例の第３の変形例である。図１１において、２個の導光板５０が間隔ｄ１をもって対向している。導光板５０の対向部において、側面と、平面端部には粗面部５４が形成されている。平面端部における粗面部５４の長さｄ２は、２個の導光板５０の間隔ｄ１の１０倍以上が好ましい。図１１において、側面に形成されている粗面５４はサンドブラストによって形成することが出来る。なお、２個の導光板５０において、対向していない端部も同様な形状となっている。
【００４７】
図１２は本実施例の第４の変形例である。図１において、２個の導光板５０は、対向部において、庇（突起）が形成され、この庇（突起）が平面方向にオーバーラップする構成となっている。図１２において、上側の庇の下面は粗面５４となっており、下側の庇の上面は粗面５４となっている。但し、下側の庇の上面は粗面となっていることは必須であるが、上側の庇は粗面となっていない場合もありうる。
【００４８】
２個の導光板５０の間隔はｄ１であり、庇における粗面の長さｄ２はｄ１の１０倍以上であることが好ましい。また、２個の導光板５０の上下方向の間隔ｄ３は平面方向の間隔ｄ１と同程度設定することが好ましい。２個の導光板５０が上下方向で接触すると、導光板５０に傾斜が生じ、バックライトの所定の輝度分布が得られなくなるからである。
【００４９】
図１３は、本実施例の第５の変形例である。図１３は２個の導光板５０の対向面に３角形状の庇（突起）を形成している。一方の導光板５０の三角形の庇の上面は粗面５４となっており、他方の導光板５０の三角形の庇の下面は粗面となっている。この形状は、２個の導光板５０の対抗面の面積を増加させることが出来るという利点がある。なお、他方の導光板５０の庇の下面は粗面にしない場合もある。図１３における２個の導光板５０を並置した場合の水平方向の間隔、垂直方向の間隔は、図１２と同様に、０．２〜０．５ｍｍである。
【００５０】
図１４は、本実施例の第６の変形例である。図１４において、２個の導光板５０の対向面はクランク状となっている。２個の導光板のクレンク状となっている端部において、一方の導光板の凸部は他方の導光板の凹部に対し、入れ子の状態になっている。本実施例における２個の導光板５０の間隔ｄ１は０．２〜０．５ｍｍである。図１４において、クランクの形状は、ｌ１が１〜１０ｍｍ、ｌ２は５〜１０ｍｍである。
【００５１】
２個の導光板５０の対向部をクランク状とすることによって、２個の導光板の対向面積が増加し、互いの導光板間の光の干渉が増加するので、画面中央付近の輝度むらを改善することが出来る。また、対向面の平面をクランク状とすることによって、間隔ｄ１に起因する暗部が分散するので、輝度むらが目立たなくなるという効果もある。
【００５２】
図１５は、図１４のＤ−Ｄ断面図である。図１５において、導光板が対向する面は互いに粗面となっている。このような粗面はサンドブラストによって形成することができる。この他に、図１４に示した構成は、図６、図９、図１０、図１１、図１２等の構成と食い合わせることが可能である。このような組み合わせによって、輝度むらをさらに低減することが出来る。
【実施例２】
【００５３】
図１６は、本発明の第２の実施例における導光板５０の平面図である。実施例２における液晶表示装置の全体構成は図１に示すのと同様である。図１６において、２個の導光板５０が間隔ｄ１をもって並置されている。ｄ１は０．２〜０．５ｍｍである。図４に示す導光板１個は、４個の分割導光板５１から形成され、各分割導光板５１は、溝５２によって４個の導光板ブロック５３に分けられている。
【００５４】
本実施例の特徴は、分割導光板５１における４個の導光板ブロック５３の幅が異なることである。分割導光板５１の両端の導光板ブロック５３２の幅ｗ１は中央部の導光板ブロック５３１の幅ｗ２よりも小さい。各導光板ブロック５３１，５３２には、３個のＬＥＤが配置される。したがって、各導光板５０の両側の導光板ブロック５３２の明るさは大きくなる。２個の導光板５０の対向部における導光板ブロック５３２の明るさが大きければ、間隔ｄ１を介して他の導光板５０に出射する光も多くなるので、画面中央における縦帯状の輝度低下を低減することが出来る。
【００５５】
図１６において、並置された導光板５０の外側端部における導光板ブロック５３２の幅ｗ１も他の導光板ブロック５３１の幅ｗ２に比較して小さくなっている。したがって、外側端部の導光板ブロック５３２の明るさは他の導光板ブロック５３１の明るさに比較して大きくなるので、画面両端における輝度の低下を低減することが出来る。
【００５６】
本実施例の構成は、実施例１で示した構成と組み合わせることによって、さらに輝度むらを低減することが出来る。
【００５７】
以上の実施例では、分割導光板５１を組み合わせた２個の導光板５０を並置して使用する場合について説明したが、本発明はこれに限らず、３個以上の導光板３０を並置して使用する場合にも適用することが出来る。
【符号の説明】
【００５８】
１１…ＴＦＴ基板、  １２…対向基板、  １３…上偏光板、  １４…下偏光板、  １５…拡散シート、  ３０…ＬＥＤ、  ４０…配線基板、  ５０…導光板、  ５１…分割導光板、  ５２…溝、  ５３…導光板ブロック、  ５４…粗面部、  ６０…反射シート、  １００…表示画面、  １０１…暗い領域、  ２００…暗い画面、  ２１０…明るいスポット、  ２２０…ハロー、  ５３１…幅広導光板ブロック、  ５３２…幅狭導光板ブロック、  ５４１…粗面部の例、  ５４２…粗面部の他の例。
【図１】
2011227251.tif 000003
【図２】
2011227251.tif 000004
【図３】
2011227251.tif 000005
【図４】
2011227251.tif 000006
【図５】
2011227251.tif 000007
【図６】
2011227251.tif 000008
【図７】
2011227251.tif 000009
【図８】
2011227251.tif 000010
【図９】
2011227251.tif 000011
【図１０】
2011227251.tif 000012
【図１１】
2011227251.tif 000013
【図１２】
2011227251.tif 000014
【図１３】
2011227251.tif 000015
【図１４】
2011227251.tif 000016
【図１５】
2011227251.tif 000017
【図１６】
2011227251.tif 000018
【図１７】
2011227251.tif 000019
【図１８】
2011227251.tif 000020
【図１９】
2011227251.tif 000021
【図２０】
2011227251.tif 000022
【図２１】
2011227251.tif 000023
【図２２】
2011227251.tif 000024